(57)【特許請求の範囲】
【請求項１】
進化型パケットコア（ＥＰＣ）中で動作する高信頼性無線ローカルエリアネットワークアクセスゲートウェイ（ＴＷＡＧ）の装置であって、前記ＴＷＡＧは、
パケットデータネットワークゲートウェイ（ＰＤＮ−ＧＷ）からＳ２ａインタフェース経由でデータを受信し、
無線ローカルエリアネットワーク（ＷＬＡＮ）中のアクセスポイント（ＡＰ）経由でユーザ端末（ＵＥ）に前記データを送り、
ＷＬＡＮリンク制御プロトコル（ＷＬＣＰ）メッセージに基づいて前記ＵＥとの制御シグナリングを処理し、
前記ＡＰから前記ＴＷＡＧで受信するトリガ通信に基づいて前記ＷＬＡＮとの接続性を前記ＵＥが喪失した時点を検出し、
前記接続性の喪失が検出されると、前記ＰＤＮ−ＧＷに中断通信を送る１つ以上のプロセッサと、
１つ以上のデジタルメモリデバイスと、を備え、
前記１つ以上のデジタルメモリデバイスは前記ＵＥに関するＰＤＮコンテキスト情報を記憶し、
前記ＷＬＡＮとの前記接続性を前記ＵＥが喪失したことを前記１つ以上のプロセッサが検出するとき、前記ＰＤＮコンテキスト情報は、予め定義された期間、前記１つ以上のデジタルメモリデバイスから削除されず、
前記１つ以上のプロセッサはさらに、
前記ＷＬＡＮとの接続性を前記ＵＥが喪失したことを前記１つ以上のプロセッサが最初に検出した後、前記予め定義された期間以内に前記ＷＬＡＮとの接続性を前記ＵＥが再取得した時点を検出し、
前記ＰＤＮ−ＧＷに再開通信を送る、装置。
【請求項２】
前記トリガ通信は、Ｌ２トランスポートまたはＬ３トランスポート経由で受信され、前記ＵＥのＩＰアドレス、メディアアクセス制御（ＭＡＣ）アドレスまたは前記接続性の喪失の理由の少なくとも１つを備える、請求項１に記載の装置。
【請求項３】
前記中断通信は修正セッション要求に含まれる、請求項１または２に記載の装置。
【請求項４】
前記ＰＤＮ−ＧＷは、前記中断通信を受信すると、前記Ｓ２ａインタフェース経由で前記ＵＥに前記データを送ることを中断する、請求項１から３のいずれか一項に記載の装置。
【請求項５】
前記再開通信は修正セッション要求に含まれる、請求項１から４のいずれか一項に記載の装置。
【請求項６】
前記１つ以上のプロセッサはさらに、前記ＵＥから受信するＷＬＡＮリンク制御プロトコル（ＷＬＣＰ）通信に基づいて前記ＷＬＡＮとの前記接続性を前記ＵＥが再取得した時点を検出する、請求項１から５のいずれか一項に記載の装置。
【請求項７】
前記ＷＬＣＰ通信は、以前に前記ＵＥに割り当てられたＩＰアドレスまたは以前に前記ＵＥに割り付けられたユーザプレーン接続識別子の少なくとも１つを備える、請求項６に記載の装置。
【請求項８】
前記１つ以上のプロセッサはさらに、
前記ＷＬＣＰ通信に基づいて前記１つ以上のメモリデバイスから前記ＰＤＮコンテキスト情報を取得し、
前記ＰＤＮコンテキスト情報を用いて前記ＵＥと前記ＰＤＮ−ＧＷの間のＰＤＮ接続を回復させる、請求項７に記載の装置。
【請求項９】
前記１つ以上のプロセッサはさらに、前記ＵＥと前記ＰＤＮ−ＧＷの間の前記ＰＤＮ接続が回復すると、前記ＵＥにＷＬＣＰ−ＰＤＮ接続性完了通信を送る、請求項８に記載の装置。
【請求項１０】
１つ以上のプロセッサによって実行されるとき、コンピュータに、
無線ローカルエリアネットワーク（ＷＬＡＮ）中のアクセスポイント（ＡＰ）から高信頼性無線ローカルエリアネットワークアクセスゲートウェイ（ＴＷＡＧ）でトリガ通信を受信することと、
前記トリガ通信に基づいて前記ＷＬＡＮとの接続性をＵＥが喪失したことを検出することと、
パケットデータネットワークゲートウェイ（ＰＤＮ−ＧＷ）に中断通信を送ることと、
予め定義された期間、前記ＵＥに関連するＰＤＮコンテキスト情報を記憶することと、
前記予め定義された期間以内に前記ＷＬＡＮとの接続性を前記ＵＥが再取得した時点を検出することと、
前記ＰＤＮ−ＧＷに再開通信を送ることと、を行なわせる、コンピュータプログラム。
【請求項１１】
１つ以上のプロセッサによって実行されるとき、コンピュータに、
Ｌ２トランスポートまたはＬ３トランスポート経由で前記トリガ通信を受信することをさらに行なわせ、前記トリガ通信は、前記ＵＥのＩＰアドレス、メディアアクセス制御（ＭＡＣ）アドレスまたは前記接続性の喪失の理由の少なくとも１つ備える、請求項１０に記載のコンピュータプログラム。
【請求項１２】
前記中断通信または前記再開通信の少なくとも１つは修正セッション要求に含まれる、請求項１０または１１に記載のコンピュータプログラム。
【請求項１３】
１つ以上のプロセッサによって実行されるとき、コンピュータに、
前記ＵＥから受信したＷＬＡＮリンク制御プロトコル（ＷＬＣＰ）通信に基づいて前記ＷＬＡＮとの前記接続性を前記ＵＥが再取得した時点を検出することをさらに行なわせ、前記ＷＬＣＰ通信は、以前に前記ＵＥに割り当てられたＩＰアドレスまたは以前に前記ＵＥに割り付けられたユーザプレーン接続識別子の少なくとも１つを備える、請求項１０から１２のいずれか一項に記載のコンピュータプログラム。
【請求項１４】
請求項１０から１３のいずれか一項に記載のコンピュータプログラムを記憶する、コンピュータ可読記録媒体。
【発明の詳細な説明】
【背景技術】
【０００１】
第３世代共同プロジェクト（ｔｈｉｒｄ  ｇｅｎｅｒａｔｉｏｎ  ｐａｒｔｎｅｒｓｈｉｐ  ｐｒｏｊｅｃｔ）（３  ＧＰＰ）リリース１２標準の最新版には、信頼性のある無線ローカルエリアネットワーク（ｗｉｒｅｌｅｓｓ  ｌｏｃａｌ  ａｒｅａ  ｎｅｔｗｏｒｋ）（ＷＬＡＮ）は進化型パケットコア（ｅｖｏｌｖｅｄ  ｐａｃｋｅｔ  ｃｏｒｅ）（ＥＰＣ）中の高信頼性ＷＬＡＮアクセスゲートウェイ（ｔｒｕｓｔｅｄ  ＷＬＡＮ  ａｃｃｅｓｓ  ｇａｔｅｗａｙ）（ＴＷＡＧ）に接続することができ、Ｓ２ａインタフェースを使用して確立される複数の並列パケットデータネットワーク（ｐａｃｋｅｔ−ｄａｔａ−ｎｅｔｗｏｒｋ）（ＰＤＮ）接続を持つことができると規定されている。ネットワークベースのインターネットプロトコル（ＩＰ）フローモビリティ（Ｎｅｔｗｏｒｋ−ｂａｓｅｄ  Ｉｎｔｅｒｎｅｔ  Ｐｒｏｔｏｃｏｌ  ｆｌｏｗ  Ｍｏｂｉｌｉｔｙ）（ＮＢＩＦＯＭ）を用いて、ユーザ端末（ｕｓｅｒ  ｅｑｕｉｐｍｅｎｔ）（ＵＥ）は異なる無線アクセス技術（ｒａｄｉｏ  ａｃｃｅｓｓ  ｔｅｃｈｎｏｌｏｇｙ）（ＲＡＴ）を介して複数の並列ＩＰフロー（ｃｏｎｃｕｒｒｅｎｔ  ＩＰ  ｆｌｏｗ）を持つことができる。ＵＥは、例えば、ＷＬＡＮと３  ＧＰＰ  ＬＴＥネットワークに同時に接続することができ、両方の接続を並行して使用してデータ転送全体の機能の改善を実現することができる。
【０００２】
開示の特徴および効果は添付の図面と合わせて行なわれる以下の詳細な説明から明らかであり、詳細な説明および添付の図面はともに例として開示の特徴を示す。
【図面の簡単な説明】
【０００３】
【図１】一例に係る、ＵＥが異なるＲＡＴを介して並列ＩＰフローを持つことができる典型的なシナリオを示す図である。
【０００４】
【図２】一例に係る、ＵＥがＷＬＡＮ接続性（ＷＬＡＮ  ｃｏｎｎｅｃｔｉｖｉｔｙ）を喪失し再取得することができる方法を示す図である。
【０００５】
【図３】一例に係る、ＷＬＣＰ  ＰＤＮ接続性再開メッセージに含まれ得る典型的な情報要素一式を示す表を示す。
【０００６】
【図４】一例に係るＷＬＣＰ  ＰＤＮ接続性再開完了メッセージに含まれ得る典型的な情報要素一式を示す表を示す。
【０００７】
【図５】一例に係る、ＷＬＡＮ接続性を再取得するＵＥのための改良されたＰＤＮ接続再開を支援するように動作可能なＴＷＡＧの典型的な機能を示すフロー図である。
【０００８】
【図６】一例に係る、複数の無線アクセス技術（ＲＡＴ）を用いるマルチレッグすなわちマルチアクセスパケットデータネットワーク（ＰＤＮ）接続を持つことが可能なＵＥの典型的な機能を示すフロー図である。
【０００９】
【図７】一例に係る無線デバイスの図示例を提供する。
【００１０】
図示されている例としての実施の形態をここで参照し、これを記載するために特定の用語を本明細書で用いる。ただし、このことにより範囲を限定する意図はないことは当然である。
【発明を実施するための形態】
【００１１】
いくつかの実施の形態を開示し記載する前に、請求されている主題は本明細書で開示されている特定の構造、プロセス動作または材料に限定されず、当業者によって理解されるようなその均等物にまで拡張されるものとする。さらに、本明細書で用いられている用語が特定の例のみを記載する目的で用いられ、限定を意図しないものとする。異なる図面中の同じ参照番号は同じ要素を表わす。フローチャートおよびプロセスに設けられている番号は、動作を示す際に明瞭さのために設けられ、必ずしも特定の順序または系列を示すというわけではない。
【００１２】
技術の実施の形態に関する前段の概観を以下に提供し、特定の技術の実施の形態は後段でさらに詳細に記載する。この前段の概要は、読者がより迅速に技術を理解するのを支援することを意図するが、技術の鍵となる特徴または必須の特徴を特定することを意図せず、さらに請求されている主題の範囲を限定することを意図しない。
【００１３】
［本開示の頭字語の説明］
３ＧＰＰ：第３世代共同プロジェクト（３ｒｄ  Ｇｅｎｅｒａｔｉｏｎ  Ｐａｒｔｎｅｒｓｈｉｐ  Ｐｒｏｊｅｃｔ）。ＵＭＴＳ、ＨＳＰＡおよびＬＴＥの標準化を担う合同の標準化共同体。ｗｗｗ．３ｇｐｐ．ｏｒｇを参照。
【００１４】
ＥＰＣ：進化型パケットコア（Ｅｖｏｌｖｅｄ  Ｐａｃｋｅｔ  Ｃｏｒｅ）。ＬＴＥ／システムアーキテクチャエボリューション（Ｓｙｓｔｅｍ  Ａｒｃｈｉｔｅｃｔｕｒｅ  Ｅｖｏｌｕｔｉｏｎ）（ＳＡＥ）システムのコアネットワーク（Ｃｏｒｅ  Ｎｅｔｗｏｒｋ）（ＣＮ）。通常、ＥＰＣはＵＥの制御全体とベアラの確立を担う。通常、ＥＰＣの主な論理ノードはパケットデータネットワークゲートウェイ（Ｐａｃｋｅｔ  Ｄａｔａ  Ｎｅｔｗｏｒｋ  Ｇａｔｅ  Ｗａｙ）（Ｐ−ＧＷ）、サービングゲートウェイ（Ｓｅｒｖｉｎｇ−ＧａｔｅＷａｙ）（Ｓ−ＧＷ）およびモビリティ管理エンティティ（Ｍｏｂｉｌｉｔｙ  Ｍａｎａｇｅｍｅｎｔ  Ｅｎｔｉｔｙ）（ＭＭＥ）である。
【００１５】
ＩＰ：インターネットプロトコル（Ｉｎｔｅｒｎｅｔ  Ｐｒｏｔｏｃｏｌ）。ネットワーク（例えばインターネット）の相互接続されたシステムを用いた送信元から宛先へのデータのブロックの伝送を規定するプロトコル。送信元および宛先は、固定長のアドレスによって特定される。ＩＥＴＦ  ＲＦＣ７９１（ｗｗｗ．ｉｅｔｆ．ｏｒｇ）を参照。
【００１６】
ＧＳＭ（登録商標）：モバイル通信用グローバルシステム（Ｇｌｏｂａｌ  Ｓｙｓｔｅｍ  ｆｏｒ  Ｍｏｂｉｌｅ  Ｃｏｍｍｕｎｉｃａｔｉｏｎｓ）。第２世代（「２Ｇ」）システムであると考えられている広域的に展開された標準化デジタルモバイル通信システム。仕様は３ＧＰＰによって維持され整備されている。ｗｗｗ．３ｇｐｐ．ｏｒｇを参照。
【００１７】
ＵＭＴＳ：ユニバーサルモバイル通信システム（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）。３ＧＰＰによって標準化された第３世代の無線アクセス技術。通常、基礎となる無線インタフェースとして広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ）（ＷＣＤＭＡ（登録商標））を用いる。
【００１８】
ＬＴＥ：ロングタームエボリューション（Ｌｏｎｇ−Ｔｅｒｍ  Ｅｖｏｌｕｔｉｏｎ）。３  ＧＰＰによって発達した第４世代（４Ｇ）無線ブロードバンド技術。
【００１９】
ＨＳＰＡ：高速パケットアクセス（Ｈｉｇｈ−Ｓｐｅｅｄ  Ｐａｃｋｅｔ  Ａｃｃｅｓｓ）。広帯域符号分割多元接続に対する高速ダウンリンクパケットアクセス（Ｈｉｇｈ−Ｓｐｅｅｄ  Ｄｏｗｎｌｉｎｋ  Ｐａｃｋｅｔ  Ａｃｃｅｓｓ）（ＨＳＤＰＡ）と高速アップリンクパケットアクセス（Ｈｉｇｈ−Ｓｐｅｅｄ  Ｕｐｌｉｎｋ  Ｐａｃｋｅｔ  Ａｃｃｅｓｓ）（ＨＳＵＰＡ）の両方を含む市場用語であり、多くの場合、「３．５Ｇ」と考えられる。
【００２０】
ＵＴＲＡＮ：ユニバーサル地上無線アクセスネットワーク（Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）。ＵＴＲＡＮは、ＵＭＴＳネットワークの複数のノード（例えばノードＢ）および複数の無線ネットワーク制御局（Ｒａｄｉｏ  Ｎｅｔｗｏｒｋ  Ｃｏｎｔｒｏｌｌｅｒ）（ＲＮＣ）を備え、ＵＥとコアネットワークの間の接続性を与える。
【００２１】
Ｅ−ＵＴＲＡＮ：進化型ユニバーサル地上無線アクセスネットワーク（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）。通常、１つ以上のＵＥに対する制御プレーン（Ｃｏｎｔｒｏｌ−ｐｌａｎｅ）（Ｃプレーン）無線リソース制御（Ｒａｄｉｏ  Ｒｅｓｏｕｒｃｅ  Ｃｏｎｔｒｏｌ）（ＲＲＣ）プロトコル完了をもたらすとともに、ユーザプレーン（Ｕｓｅｒ−ｐｌａｎｅ）（Ｕプレーン）パケットデータ圧縮プロトコル（Ｐａｃｋｅｔ  Ｄａｔａ  Ｃｏｎｖｅｒｇｅｎｃｅ  Ｐｒｏｔｏｃｏｌ）（ＰＤＣＰ）レイヤ、無線リンク制御（Ｒａｄｉｏ  Ｌｉｎｋ  Ｃｏｎｔｒｏｌ）（ＲＬＣ）レイヤ、メディアアクセス制御（Ｍｅｄｉｕｍ  Ａｃｃｅｓｓ  Ｃｏｎｔｒｏｌ）（ＭＡＣ）レイヤおよび物理（ＰＨＹ）レイヤを提供するｅＮＢを備える。通常、Ｅ−ＵＴＲＡＮの複数のｅＮＢはＸ２インタフェースによって互いに相互接続することができる。通常、ｅＮｏｄｅＢはＳＩインタフェースによってＥＰＣに接続される。
【００２２】
ＧＰＲＳ：汎用パケット無線サービス（Ｇｅｎｅｒａｌ  Ｐａｃｋｅｔ  Ｒａｄｉｏ  Ｓｅｒｖｉｃｅ）。ＧＳＭ（登録商標）システムに対するモバイルデータサービスの拡張。多くの場合「２．５Ｇ」と記載される。３  ＧＰＰ  ＴＳ  ４３．０６４および３  ＧＰＰ  ＴＳ  ２３．０６０を参照。
【００２３】
ＧＴＰ：ＧＰＲＳトンネリングプロトコル（ＧＰＲＳ  Ｔｕｎｎｅｌｉｎｇ  Ｐｒｏｔｏｃｏｌ）。これは、ＧＳＭ（登録商標）、ＵＭＴＳおよびＬＴＥネットワークで用いられるＩＰベースのプロトコルであり、ユーザプレーンおよび制御プレーンの両方のためのＧＴＰ（それぞれＧＴＰ−ＵおよびＧＴＰ−Ｃ）からなる。ＬＴＥネットワーク中のＧＴＰについては３  ＧＰＰ  ＴＳ２９．２７４を参照。
【００２４】
Ｓ２ａ：一種のネットワークインタフェース。３  ＧＰＰ  ＴＳ  ２９．２７４および３  ＧＰＰ  ＴＳ  ２９．２７５を参照。
【００２５】
ＳａＭＯＧ：ＧＴＰに基づくＳ２ａモビリティ（Ｓ２ａ  Ｍｏｂｉｌｉｔｙ  Ｂａｓｅｄ  ｏｎ  ＧＴＰ）。３  ＧＰＰ  ＴＳ  ２３．４０２を参照。
【００２６】
ＷＬＡＮ：無線ローカルエリアネットワーク（Ｗｉｒｅｌｅｓｓ  Ｌｏｃａｌ  Ａｒｅａ  Ｎｅｔｗｏｒｋ）。３  ＧＰＰ  ＴＳ  ２４．３２７、３  ＧＰＰ  ＴＳ  ２４．３１２および３  ＧＰＰ  ＴＳ  ２３．４０２を参照。
【００２７】
ＷＬＣＰ：ＷＬＡＮ制御プロトコル（ＷＬＡＮ  ｃｏｎｔｒｏｌ  ｐｒｏｔｏｃｏｌ）。ＷＬＣＰは、ユーザ端末（ＵＥ）と高信頼性ＷＬＡＮアクセスゲートウェイ（ＴＷＡＧ）の間の制御シグナリング用のプロトコルを指す。ＷＬＣＰメッセージに基づく制御シグナリングは、例えば、セッション管理機能をパケットデータネットワーク（ＰＤＮ）接続に提供するのに用いることができる。例えば、ＷＬＣＰは、ＰＤＮ接続を確立し、ＰＤＮ接続をハンドオーバし、ＰＤＮ接続をＵＥが解放することを要求し、ＰＤＮ接続が解放されたことをＵＥに通知するのに用いることができる。ＷＬＣＰはＵＥとＴＷＡＧの間のプロトコルであるので、ＵＥとＴＷＡＧの間の中間ノード（例えばアクセスポイント）がＷＬＣＰをサポートまたは認識することは必要でない。
【００２８】
ＵＥ：ユーザ端末（Ｕｓｅｒ  Ｅｑｕｉｐｍｅｎｔ）。ユーザがネットワークサービスにアクセスして無線インタフェースを介してＵＴＲＡＮまたはＥ−ＵＴＲＡＮに接続することができるモバイルユニット。通常、ＵＥは少なくともユニバーサル集積回路カード（Ｕｎｉｖｅｒｓａｌ  Ｉｎｔｅｇｒａｔｅｄ  Ｃｉｒｃｕｉｔ  Ｃａｒｄ）（ＵＩＣＣ）と移動体装置（Ｍｏｂｉｌｅ  Ｅｑｕｉｐｍｅｎｔ）（ＭＥ）を備える。３  ＧＰＰ  ＴＳ２１．９０５第３節を参照。
【００２９】
ｅＮＢ：進化ＮｏｄｅＢ。通常、ＬＴＥシステムで用いる基地局。ｅＮＢは１つ以上のＥ−ＵＴＲＡＮセルを担当することができる。
【００３０】
ＰＤＮ：パケットデータネットワーク（Ｐａｃｋｅｔ  Ｄａｔａ  Ｎｅｔｗｏｒｋ）。ＵＥがインターネットに対するパケットデータ接続を取得するのに用いるネットワーク。３ＧＰＰ  ＴＳ２９．２７４を参照。
【００３１】
ＰＤＮ−ＧＷ（Ｐ−ＧＷとも呼び、または）ＰＧＷ：ＰＤＮゲートウェイ。ＰＤＮ−ＧＷは、ＵＥ用のトラフィックの出口点および入口点であることによって、ＵＥから外部パケットデータネットワークへの接続性を提供する。ＵＥは、複数のＰＤＮにアクセスする複数のＰＤＮ−ＧＷを用いて同時接続性を持つことができる。通常、ＰＤＮ−ＧＷはポリシー施行（ｐｏｌｉｃｙ  ｅｎｆｏｒｃｅｍｅｎｔ）、ユーザ毎のパケットフィルタリング、課金サポート、合法的傍受（ｌａｗｆｕｌ  ｉｎｔｅｒｃｅｐｔｉｏｎ）およびパケットスクリーニング（ｐａｃｋｅｔ  ｓｃｒｅｅｎｉｎｇ）を行なう。ＰＤＮ−ＧＷは、３ＧＰＰ技術と非３ＧＰＰ技術の間のモビリティのよりどころとして機能することができる。
【００３２】
ＰＭＩＰ：プロキシモバイルインターネットプロトコル（Ｐｒｏｘｙ  Ｍｏｂｉｌｅ  Ｉｎｔｅｒｎｅｔ  Ｐｒｏｔｏｃｏｌ）。ネットワークベースのモビリティ管理機構。モバイルＩＰｖ６を修正したものであり、モビリティ管理がネットワークでモバイルノードからプロキシに移動するのを可能にする。通常、ＬＴＥはＳ２、Ｓ５およびＳ８インタフェースを用いてＰＭＩＰをサポートする。３  ＧＰＰ  ＴＳ２３．４０２を参照。
【００３３】
ＴＷＡＧ：高信頼性ＷＬＡＮアクセスゲートウェイ（Ｔｒｕｓｔｅｄ  ＷＬＡＮ  Ａｃｃｅｓｓ  Ｇａｔｅｗａｙ）。高信頼性ＷＬＡＮアクセスでは、ＵＥはＷＬＡＮのコア中のＴＷＡＧに接続され、続いて、ＴＷＡＧは、Ｓ２ａインタフェースによるセキュアトンネル（ｓｅｃｕｒｅ  ｔｕｎｎｅｌ）（例えばＧＴＰまたはＰＭＩＰ）を通じてＥＰＣ中のＰ−ＧＷ（パケットゲートウェイ（Ｐａｃｋｅｔ  Ｇａｔｅｗａｙ））に接続される。
【００３４】
ＩＦＯＭ：ＩＰフローモビリティ（ＩＰ−ｆｌｏｗ  Ｍｏｂｉｌｉｔｙ）。通信事業者が第１の無線アクセス技術（ＲＡＴ）から異なるＲＡＴへのＩＰフローを、これらのＲＡＴの進行中の他の接続を中断させずにサービスを連続させ続けながら切り替えることが可能な技術を指す。この技術は現在インターネット技術標準化委員会（Ｉｎｔｅｒｎｅｔ  Ｅｎｇｉｎｅｅｒｉｎｇ  Ｔａｓｋ  Ｆｏｒｃｅ）（ＩＥＴＦ）によって標準化されており、３ＧＰＰによって採用されている。３ＧＰＰ  ＴＳ  ２４．３０３および３  ＧＰＰ  ＴＳ  ２４．３２７を参照。
【００３５】
ＮＢＩＦＯＭ：ネットワークベースのＩＰフローモビリティ（Ｎｅｔｗｏｒｋ−ｂａｓｅｄ  ＩＰ−ｆｌｏｗ  Ｍｏｂｉｌｉｔｙ）。
【００３６】
ＡＰ：ＷＬＡＮ中のアクセスポイント（Ａｃｃｅｓｓ  Ｐｏｉｎｔ）。
【００３７】
ＢＳＳ：基本サービスセット（Ｂａｓｉｃ  Ｓｅｒｖｉｃｅ  Ｓｅｔ）。１つの特定のＡＰを介してＷＬＡＮに無線で接続されるステーション（ＳＴＡ）（例えばＵＥ）のセットを指す。通常、ＳＴＡはＡＰの基本サービスエリア（ｂａｓｉｃ  ｓｅｒｖｉｃｅ  ａｒｅａ）（ＢＳＡ）で見られる。ＢＳＳは基本サービスセット識別子（ｂａｓｉｃ  ｓｅｒｖｉｃｅ  ｓｅｔ  ｉｄｅｎｔｉｆｉｃａｔｉｏｎ）（ＢＳＳＩＤ）によって特定される。
【００３８】
ＥＳＳ：拡張サービスセット（Ｅｘｔｅｎｄｅｄ  Ｓｅｒｖｉｃｅ  Ｓｅｔ）。同じＳＳＩＤ（ネットワーク名）、セキュリティ証明書（ｓｅｃｕｒｉｔｙ  ｃｒｅｄｅｎｔｉａｌ）、およびＥＳＳ中のＢＳＳの１つに関連するステーションでの論理リンク制御レイヤ（ｌｏｇｉｃａｌ−ｌｉｎｋ−ｃｏｎｔｒｏｌ  ｌａｙｅｒ）に１つのＢＳＳとして現われる、統合された（例えば、８０２．３フレームと８０２．１１フレームの間の変換を提供する）ＷＬＡＮを共有する複数の相互接続された無線ＢＳＳ。
【００３９】
ＭＣＭ：ＳａＭＯＧ−２のためのマルチ接続モード（ｍｕｌｔｉ−ｃｏｎｎｅｃｔｉｏｎ  ｍｏｄｅ  ｆｏｒ  ＳａＭＯＧ−２）。
【００４０】
ＭＭＥ：モビリティ管理エンティティ（Ｍｏｂｉｌｉｔｙ  Ｍａｎａｇｅｍｅｎｔ  Ｅｎｔｉｔｙ）。これは、ＵＥとコアネットワーク（ＣＮ）の間のシグナリングを処理し、ビジタロケーションレジスタ（Ｖｉｓｉｔｏｒ  Ｌｏｃａｔｉｏｎ  Ｒｅｇｉｓｔｅｒ）（ＶＬＲ）機能を進化型パケットシステム（Ｅｖｏｌｖｅｄ  Ｐａｃｋｅｔ  Ｓｙｓｔｅｍ）（ＥＰＳ）に提供する制御ノードである。ＭＭＥは、ベアラおよび接続管理に関する機能をサポートすることができる。３ＧＰＰ  ＴＳ２３．００２第４．１．４．１節、ＴＳ２４．３０１、ＴＳ３６．３００第１９節およびＴＳ３６．４０１を参照。
【００４１】
Ｌ２：レイヤ２。開放型システム間相互接続（Ｏｐｅｎ  Ｓｙｓｔｅｍｓ  Ｉｎｔｅｒｃｏｎｎｅｃｔｉｏｎ）（ＯＳＩ）モデルのデータリンクレイヤ（ｄａｔａ  ｌｉｎｋ  ｌａｙｅｒ）を指す。通常、データリンクレイヤはネットワークでの複数の物理リンク（ｐｈｙｓｉｃａｌ  ｌｉｎｋ）にわたるデータの移動に関する。ネットワークスイッチ（ｎｅｔｗｏｒｋ  ｓｗｉｔｃｈ）は、メッセージが送られることになっているかを判断するために宛先メディアアクセス制御（ＭＡＣ）アドレスを用いて、レイヤ２レベル（ｌａｙｅｒ−２  ｌｅｖｅｌ）でデータメッセージをリダイレクトするデバイスであってもよい。データリンクレイヤは、２つのサブレイヤ、すなわちメディアアクセス制御（ＭＡＣ）サブレイヤと論理リンク制御サブレイヤ（ＬＬＣ）サブレイヤとを備える。
【００４２】
Ｌ３：レイヤ３。開放型システム間相互接続（ＯＳＩ）モデルのネットワークレイヤ（ｎｅｔｗｏｒｋ  ｌａｙｅｒ）を指す。通常、ネットワークレイヤは、あるノードから同じネットワークに接続されている別のノードに可変長のデータ列（例えばデータグラム）を転送する機能的かつ手続き的手段を提供する。
【００４３】
Ｃプレーン：制御プレーン（Ｃｏｎｔｒｏｌ  Ｐｌａｎｅ）。開放型システム間相互接続（ＯＳＩ）モデルでは、通常、制御データはＣプレーンを用いて運ばれる。
【００４４】
Ｕプレーン：ユーザプレーン（Ｕｓｅｒ  Ｐｌａｎｅ）。開放型システム間相互接続（ＯＳＩ）モデルでは、通常、ユーザデータはＵプレーンを用いて運ばれる。
【００４５】
ＤＬ：ダウンリンク（ｄｏｗｎｌｉｎｋ）。
【００４６】
ＰＣＯ：プロトコル構成オプション（Ｐｒｏｔｏｃｏｌ  Ｃｏｎｆｉｇｕｒａｔｉｏｎ  Ｏｐｔｉｏｎｓ）。通常、これはＵＥとパケットデータネットワークゲートウェイ（Ｐ−ＧＷ）の間でパラメータを転送するのに用いられる。これはモビリティ管理エンティティ（ＭＭＥ）とサービングＧＷ（ｓ−ＧＷ）を通じて透明に送られる。３  ＧＰＰ  ＴＳ２３．４０１第５．３．２節を参照。
【００４７】
ＵＤＰ：ユーザデータグラムプロトコル（Ｕｓｅｒ  Ｄａｔａｇｒａｍ  Ｐｒｏｔｏｃｏｌ）。通常、インターネットプロトコル（ＩＰ）とともに用いられるトランスポートレイヤプロトコル（ｔｒａｎｓｐｏｒｔ  ｌａｙｅｒ  ｐｒｏｔｏｃｏｌ）。ＩＥＴＦ  ＲＦＣ７６８を参照。
【００４８】
多くのＡＰは比較的小さいサービスエリアを持つので、ＷＬＡＮ  ＡＰに接続されたＵＥは、ＡＰの基本サービスエリア（ＢＳＡ）に頻繁に出入りする場合がある。これに加えて、ＵＥは同じＷＬＡＮ拡張サービスセット（ＥＳＳ）に留まりながら第１のＡＰのＢＳＡから第２のＡＰのＢＳＡに移動する場合が多い。ＵＥは、第１のＷＬＡＮ  ＥＳＳから第２のＷＬＡＮ  ＥＳＳに頻繁に移動する場合もある。いくつかの場合では、ＷＬＡＮ  ＥＳＳは同じＴＷＡＧに接続されてもよい。他の場合では、ＷＬＡＮ  ＥＳＳは異なるＴＷＡＧに接続されてもよい。
【００４９】
３ＧＰＰリリース１２仕様中のＳＡＭＯＧ−２作業項目は、ＷＬＡＮ受信領域に頻繁に出入りするＵＥに対して、ＵＥコンテキストの各ＴＷＡＧおよびＴＷＡＧの再選択／再配置にわたるモビリティに対処するものではなかった。したがって、３ＧＰＰリリース１２（ＲＥＬ１２）仕様に基づいて動作するように構成されおり、ＷＬＡＮおよび３ＧＰＰネットワークに並行して接続されているＵＥが、ＷＬＡＮのサービスエリアから出ると、ＷＬＡＮへのＵＥのＰＤＮ接続は３ＧＰＰネットワークに移行する可能性が高い。ＵＥがＷＬＡＮのサービスエリアから出ると、ＴＷＡＧ上のＵＥコンテキストは喪失される。ＵＥがＷＬＡＮのサービスエリアに再び入る（または、別のＷＬＡＮのサービスエリアに入る）と、ＰＤＮ接続をルーティングすることができ、ＷＬＡＮアクセスを用いてフローを再確立することができる。ＵＥがＷＬＡＮサービスエリアに再び入ると、ＴＷＡＧ上のＵＥコンテキストは再生成される。ＵＥがＷＬＡＮサービスエリアに頻繁に出入りする場合、ＴＷＡＧでＵＥコンテキストを何度も喪失して再生成することで、システムリソースが消費され、不都合を引き起こす動作の遅れが生じる。
【００５０】
本開示に係るシステムおよび技術により、ＵＥがＴＷＡＧに接続されているＷＬＡＮのサービスエリアから出るときに所定期間、ＴＷＡＧ上のＵＥコンテキストを維持することができる。ＵＥコンテキストが維持される所定期間内に同じＷＬＡＮまたは同じＴＷＡＧに接続されている別のＷＬＡＮにＵＥが再接続される場合、ＵＥコンテキストの再生成を避けることができる。
【００５１】
本開示に係るいくつかの例では、ＵＥはＷＬＡＮ中のＡＰを通じてＮＢＩＦＯＭマルチレッグＰＤＮ接続すなわちマルチアクセスＰＤＮ接続を持つことができる。ＷＬＡＮはＥＰＣ中のＴＷＡＧに接続することができる。さらに、ＴＷＡＧはＳ２ａインタフェースを介してＰＧＷに接続することができる。ＵＥが（例えば、ＡＰのサービスエリアから出ることで）ＷＬＡＮとの接続性を喪失する場合、ＰＧＷが即時に通知を受信することが可能であり、これによりＰＧＷが通知書を受けるとＳ２ａインタフェース経由でＵＥにダウンリンク（ＤＬ）パケットを送るのを即時に中止することができれば、それは有用である。
【００５２】
ＵＥが３ＧＰＰ接続も持つ場合、３ＧＰＰ接続を介してＰＧＷにＷＬＡＮ接続性喪失通信を送ってＷＬＡＮ接続性が喪失された時点をＰＧＷに通知するようにＵＥを構成することができる。これに加えてまたはこれとは別に、ＡＰからＴＷＡＧに送られるＬ２トリガおよび／またはリンク表示（例えば、Ｌ２リンクアタッチ／デタッチトリガメッセージ／通知（Ｌ２  ｌｉｎｋ  ａｔｔａｃｈ／ｄｅｔａｃｈ  ｔｒｉｇｇｅｒ  ｍｅｓｓａｇｅｓ／ｎｏｔｉｆｉｃａｔｉｏｎ））に基づいて、ＷＬＡＮ接続性をＵＥが喪失したことを検出するようにＴＷＡＧを構成することができる。ＷＬＡＮとのＵＥの接続性が喪失されたことを検出する際には、ＰＧＷがＳ２ａインタフェース経由でＵＥにデータを送ることを中断すべきであることを示す中断通信をＰＧＷに送るようにＴＷＡＧを構成することができる。これにより、ＵＥがＷＬＡＮから切断されている間にＰＧＷがＴＷＡＧ経由でＵＥに別の方法で送る場合があるＵプレーンパケットをＴＷＡＧが取り扱う／バッファリングする必要をなくすことができる。このパケットは喪失される可能性が高く、したがって、高次のレイヤで再伝達が行なわれる。
【００５３】
中断通信は修正セッション要求メッセージに含まれてもよく、あるいは中断通信を伝える目的で特に定義されるＳ２ａメッセージ（以下、中断ＰＤＮ要求と呼ぶ）に含まれてもよい。ＷＬＡＮとのＵＥの接続性を喪失したことを検出した後、所定期間、ＵＥに関するＰＤＮコンテキスト情報を削除することを中断するようにＴＷＡＧを構成することもできる。ＵＥに関するＰＤＮコンテキスト情報を保持することで、ＴＷＡＧはＣプレーンコンテキストを維持することができる。
【００５４】
同じＴＷＡＧに接続されているＷＬＡＮ中のＡＰ（以前のＡＰおよび／またはＷＬＡＮと同じであってもよく、あるいは異なるＷＬＡＮであってもよい）との接続性をＵＥが再取得する場合、ＵＥは新しいＩＰアドレスおよび／または新しいＵＤＰポートを持ってもよい。ＵＥがＰＤＮ接続の再開を要請することを示すＷＬＡＮリンク制御プロトコル（ＷＬＡＮ−ｌｉｎｋ−ｃｏｎｔｒｏｌ−ｐｒｏｔｏｃｏｌ）（ＷＬＣＰ）通信をＴＷＡＧに送ることで、ＰＤＮコンテキスト情報をＴＷＡＧが取得するのを支援するようにＵＥを構成することができる。ＷＬＣＰ通信は、以前に割り付けられたＩＰアドレス、ＰＤＮアドレス、ＰＤＮ接続ＩＤ、以前のＰＤＮ接続セットアップの一部として割り当てられるユーザプレーン接続ＩＤ、複数のＰＣＯパラメータ、ＵＥに関する以前に確立したＰＤＮコンテキスト情報に対するポインタ、および／または他の情報を備えることができる。ＷＬＣＰ通信は、ＷＬＣＰ通信を伝える目的で特に定義されるＷＬＣＰ  ＰＤＮ接続性再開メッセージ中のＰＤＮ  接続性要求メッセージに含まれてもよい。Ｓ２ａインタフェース経由でＵＥにデータを送ることをＰＧＷが再開することができることを示す再開通信をＰＧＷに送るようにＴＷＡＧを構成することができる。再開通信は修正セッション要求メッセージに含まれてもよく、あるいは再開通信を伝える目的で特に定義されるＳ２ａメッセージ（以下、再開ＰＤＮ要求と呼ぶ）に含まれてもよい。
【００５５】
図１は、ＵＥ１００が異なるＲＡＴを介して並列ＩＰフローを持つことができるシナリオの例を示す図である。ＵＥ１００は、アクセスポイント（ＡＰ）１０４のＷＬＡＮサービスエリア１０２内にも、ｅＮＢ１０８のｅＮＢサービスエリア１０６内にも位置することができる。ＵＥ１００は複数のアンテナを備えるトランシーバモジュールを備えることができる。トランシーバモジュールを用いて、ＵＥ１００はＡＰ１０４とのＩＰフローおよびｅＮＢとのＩＰフローを確立することができる。これらの並列ＩＰフローを持つことで、ＵＥ１００は、ある目的（例えば、ブラウジングアプリケーションまたはビデオストリーミングサービス用のデータをダウンロードする）でＡＰとのＩＰフローを使用することができ、別の目的（例えば、電話用の音声データを転送する）でｅＮＢとのＩＰフローを使用することができる。ＵＥ１００がＳＡＭＯＧ−２ＭＣＭモードにある場合、ＵＥ１００はＡＰ１０４が属するＷＬＡＮを介して複数の並列のＰＤＮ接続を持つことができる。ＩＰフローを備えることができるマルチレッグすなわちマルチアクセスＰＤＮ接続のレッグは様々な無線アクセス技術（ＲＡＴ）を使用することができる。用いることができるＲＡＴのいくつかの例は、広帯域符号分割多元接続（ＷＣＤＭＡ（登録商標））（例えばリリース９９）、電気電子技術者協会（ＩＥＥＥ）８０２．１６、Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ（ＷｉＭＡＸ）（例えば、８０２．１６−２０１２、８０２．１６．１−２０１２、８０２．１６．１ａ−２０１３など）、電気電子技術者協会（ＩＥＥＥ）８０２．１１無線ローカルエリアネットワーク（ＷＬＡＮ）（例えば、リリース８０２．１１ａ、８０２．１ｌ  ｂ、８０２．１  ｌａｃ、８０２．１１  ａｙなど）、または第３世代共同プロジェクト（３  ＧＰＰ）標準（例えば３ＧＰＰ  ＬＴＥリリース８−１２）を含む。
【００５６】
図２は、ＵＥ２００ａ〜ｂがＷＬＡＮ接続性を喪失し再取得することができる、一例に係る方法を示す図である。ＵＥ２００ａはＡＰ２０４のサービスエリア２０２に位置することができ、ｅＮＢ２０８のサービスエリア２０６にも位置することができる。ＵＥ２００ａはＡＰ２０４およびｅＮＢ２０８に対する並列ＩＰフローを持つことができる。ＡＰ２０４はＴＷＡＧ２１０に接続することができる。ＴＷＡＧ２１０はＳ２ａインタフェース２１４経由でＰＤＮ−ＧＷ２１２と通信することができる。ＵＥ２００ａはＵＥ２００ｂで表わされているような新しい位置に移動することができる。ＵＥ２００ｂがＡＰ２０４のサービスエリア２０２の外側にあるので、ＡＰ２０４との接続性は、ＵＥ２００ａの位置からＵＥ２００ｂの位置に移動する間のある地点で喪失される。ＡＰ２０４との接続性が喪失されるとき、ＵＥは、ｅＮＢ２０８経由でＰＤＮ−ＧＷ２１２にＷＬＡＮ接続性喪失通信を送ってＷＬＡＮ接続性が喪失されたことをＰＤＮ−ＧＷ２１２に通知することができる。これに加えて（またはこれとは別に）、ＴＷＡＧ２１０は、Ｌ２またはＬ３トランスポート経由でＡＰ２０４からＴＷＡＧ２１０に送られるトリガ通信に基づいて、ＡＰ２０４を含むＷＬＡＮとのコンタクトをＵＥが喪失したことを検出することができる。トリガ通信は、ＵＥ２００ａのＩＰアドレス、ＢＳＳＩＤ（ＵＥのＭＡＣアドレス）および／またはトリガ通信（例えば、明確な分離とは対照的な接続の突然の喪失）の理由を含むことができる。ＡＰ２０４およびＴＷＡＧ２１０は併設されてもよく、あるいはアクセスコントローラを介して接続されてもよい。その場合、ＴＷＡＧ２１０は、ＰＤＮ−ＧＷ（ＰＧＷ）２１２がＳ２ａインタフェース２１４、ＴＷＡＧ２１０およびＡＰ２０４を備える経路経由でＵＥ２００ｂにデータを送ることを中断すべきであることを示す中断通信をＳ２ａインタフェース２１４経由でＰＤＮ−ＧＷ２１２に送ることができる。中断通信は、修正セッション要求メッセージにまたは中断ＰＤＮ要求に含ませることができる。所定期間、ＵＥ２００ｂに関するＰＤＮコンテキスト情報を削除することを中断するようにＴＷＡＧ２１０を構成することもできる。この場合、ＰＤＮ−ＧＷはＵＥ２００ａ用の入力ダウンリンクパケットの誘導（この入力ダウンリンクパケットは、Ｓ２ａインタフェース２１４、ＴＷＡＧ２１０およびＡＰ２０４を備える経路経由でＵＥ２００ａに、あるいは送られることになっていたもの）を開始して、３ＧＰＰアクセスを用いてｅＮＢ２０８を通じて送ることができる。
【００５７】
その後、ＵＥ２００ｂはＡＰ２１８のサービスエリア２１６に位置することができる。ＵＥ２００ｂはＡＰ２１８との接続を確立することができる。ＡＰ２１８は、ＵＥがＷＬＡＮ接続性を再取得したことを示すＬ２  ＵＥアタッチトリガメッセージをＴＷＡＧ２１０に送ることができる。その後、ＵＥ２００ｂは、ＵＥ２００ｂが、以前に用いられていたＷＬＡＮを用いて１つ以上のＰＤＮ接続の再開を要請することを示すＷＬＡＮリンク制御プロトコル（ＷＬＣＰ）通信をＴＷＡＧ２１０にＡＰ２１８経由で送ることができる。ＷＬＣＰ通信は、以前に割り付けられたＩＰアドレス、ＰＤＮアドレス、ＰＤＮ接続ＩＤ、前のＰＤＮ接続セットアップの一部として割り当てられるユーザプレーン接続ＩＤ（またはＴＷＡＧ２１０によって割り当てられる新しいユーザプレーン接続ＩＤ）、複数のＰＣＯパラメータ、ＵＥに関する以前に確立されたＰＤＮコンテキスト情報に対するポインタ、および／または他の情報を備えることができる。ＷＬＣＰ通信はＰＤＮ接続性要求メッセージに含まれてもよく、あるいはＷＬＣＰ  ＰＤＮ接続性再開メッセージに含まれてもよい。ＴＷＡＧ２１０は、ＷＬＣＰ通信を受信する際、ＷＬＡＮを用いて１つ以上のＰＤＮ接続をＰＤＮ−ＧＷ２１２が再開することを要求する再開通信をＰＤＮ−ＧＷ２１２に送ることができる。再開通信はＳ２ａインタフェース２１４経由で送ることができる。再開通信は修正セッション要求メッセージに含まれてもよく、あるいは再開ＰＤＮ要求に含まれてもよい。その後、ＴＷＡＧは、１つ以上のＰＤＮ接続が完全に再開され、かつこのＰＤＮ接続がいずれの最新のパラメータをも提供しているか否かを示すＷＬＣＰ  ＰＤＮ接続性再開完了メッセージまたはＷＬＣＰ  ＰＤＮ  接続性受領メッセージをＵＥ２００ｂに送ることができる。
【００５８】
図３は、ＷＬＣＰ  ＰＤＮ接続性再開メッセージに含まれ得る典型的な情報要素一式を示す表３００を示す。一例では、ＷＬＣＰ  ＰＤＮ接続性再開メッセージはメッセージタイプを特定するＰＤＮ接続性再開メッセージアイデンティティ３０２を備えることができる。ＷＬＣＰ  ＰＤＮ接続性再開メッセージはメッセージに関係するトランザクションを特定するプロシージャトランザクションアイデンティティ３０４を備えることもできる。ＷＬＣＰ  ＰＤＮ接続性再開メッセージはメッセージに関連するＡＰを特定するアクセスポイント名３０６を備えることもできる。ＷＬＣＰ  ＰＤＮ接続性再開メッセージは、１つ以上のＰＤＮ接続の再開を試みているＵＥに以前に割り付けられていたＩＰアドレスを特定するＰＤＮアドレス３０８を備えることもできる。ＷＬＣＰ  ＰＤＮ接続性再開メッセージはＰＤＮ接続ＩＤ３１０を備えることもできる。ＷＬＣＰ  ＰＤＮ接続性再開メッセージは、以前にＵＥに割り付けられた識別子であるユーザプレーン接続ＩＤ３１２を備えることもできる。これとは別に、ユーザプレーン接続ＩＤ３１２はＴＷＡＧによってＵＥに新しく割り当てられた識別子であってもよい。ＷＬＣＰ  ＰＤＮ接続性再開メッセージはプロトコル構成オプション３１４を備えることもできる。
【００５９】
図４は、ＷＬＣＰ  ＰＤＮ接続性再開完了メッセージに含まれ得る典型的な情報要素一式を示す表４００を示す。ある例では、ＷＬＣＰ  ＰＤＮ接続性再開完了メッセージはメッセージタイプを特定するＰＤＮ接続性再開完了メッセージアイデンティティ４０２を備えることができる。ＷＬＣＰ  ＰＤＮ接続性再開完了メッセージはメッセージに関係するトランザクションを特定するプロシージャトランザクションアイデンティティ４０４を備えることもできる。ＷＬＣＰ  ＰＤＮ接続性再開完了メッセージは、１つ以上のＰＤＮ接続の再開を試みているＵＥに以前に割り付けられていたＩＰアドレスを特定するＰＤＮアドレス４０６を備えることもできる。ＷＬＣＰ  ＰＤＮ接続性再開完了メッセージはＰＤＮ接続ＩＤ４０８を備えることもできる。ＷＬＣＰ  ＰＤＮ接続性再開完了メッセージは、以前にＵＥに割り付けられた識別子であるユーザプレーン接続ＩＤ４１０を備えることもできる。これとは別に、ユーザプレーン接続ＩＤ４１０は、ＴＷＡＧによってＵＥに新しく割り当てられた識別子であってもよい。ＷＬＣＰ  ＰＤＮ接続性再開完了メッセージはプロトコル構成オプション４１２を含むこともできる。ＷＬＣＰ  ＰＤＮ接続性再開完了メッセージは、１つ以上のＰＤＮ接続が完全に再開されたか否かを示すステータス４１４を備えることもできる。
【００６０】
図５は、ＷＬＡＮ接続性を再取得するＵＥのための改良したＰＤＮ接続再開を支援するように動作可能なＴＷＡＧの典型的な機能５００を示すフロー図である。機能は方法として実施することができ、あるいはマシン上の命令として実行することができ、命令は少なくとも１つの非一時的コンピュータ可読記憶媒体に含まれる。ブロック５１０におけるように、ＴＷＡＧにある回路（例えば、１つ以上のプロセッサを備える処理モジュールを含む）は、ＡＰから受信したトリガ通信に基づいて、ＷＬＡＮ接続性をＵＥが喪失したことを検出することができる。トリガ通信はＬ２またはＬ３トランスポート経由で受信することができ、ＵＥのＩＰアドレス、メディアアクセス制御（ＭＡＣ）アドレスおよび／または受信領域が喪失された理由を備えることができる。ＷＬＡＮ  リンク制御プロトコル（ＷＬＣＰ）メッセージに基づいてＵＥとの制御シグナリングを処理するように回路を構成することができる。ブロック５２０におけるように、ＴＷＡＧ（例えば、ネットワークモジュール）にある回路は、ＷＬＡＮ接続性をＵＥが喪失したことを示し、かつ１つ以上のＰＤＮ接続を中断することを要求する中断通信をＰＤＮ−ＧＷに送ることができる。中断通信は修正セッション要求に含ませることができる。中断通信を受信するとＳ２ａインタフェースを介してＵＥにデータを送ることを中断するようにＰＤＮ−ＧＷを構成することができる。ブロック５３０におけるように、ＴＷＡＧに関連する１つ以上のデジタルメモリデバイスはＵＥに関するＰＤＮコンテキスト情報を記憶することができる。ＰＤＮコンテキスト情報は予め定義された期間、１つ以上のデジタルメモリデバイスに記憶することができる。したがって、中断通信をＰＤＮ−ＧＷで受信した後、当該予め定義された期間、ＰＤＮコンテキスト情報を１つ以上のデジタルメモリデバイスに記憶した状態を維持することができる。
【００６１】
ブロック５４０におけるように、回路（例えば、処理モジュールを含む）は、ＷＬＡＮ接続性をＵＥが再取得した時点を検出することができる。回路は、ＵＥから（例えば、ネットワークモジュール経由で）受信したＷＬＡＮリンク制御プロトコル（ＷＬＣＰ）通信に基づいて、ＷＬＡＮ接続性をＵＥが再取得したことを検出してもよい。ＷＬＣＰ通信は、以前にＵＥに割り当てられたＩＰアドレスおよび／または以前にＵＥに割り付けられた（またはＴＷＡＧによってＵＥに新しく割り当てられた）ユーザプレーン接続識別子を備えることができる。ブロック５５０におけるように、回路（例えば、ネットワークモジュール）は、１つ以上のＰＤＮ接続を再開することを要求する再開通信をＰＤＮ−ＧＷに送ることができる。再開通信は修正セッション要求に含まれてもよい。ブロック５６０におけるように、処理モジュールは１つ以上のメモリデバイスからＰＤＮコンテキスト情報を取得することができ、ＵＥとＰＤＮ−ＧＷのＰＤＮの接続を回復させるのにＰＤＮコンテキスト情報を用いることができる。ブロック５７０におけるように、回路（例えば、ネットワークモジュール）は、ＵＥとＰＤＮ−ＧＷの間のＰＤＮ接続が回復した後、ＵＥにＷＬＣＰ−ＰＤＮ接続性完了通信を送ることができる。
【００６２】
図６は、複数の無線アクセス技術（ＲＡＴ）を用いるマルチレッグすなわちマルチアクセスパケットデータネットワーク（ＰＤＮ）接続を持つことが可能なＵＥの典型的な機能６００を示すフロー図である。ＵＥは例えば、セルラネットワーク中の進化ノードＢ（ｅＮＢ）、および無線ローカルエリアネットワーク（ＷＬＡＮ）中のアクセスポイント（ＡＰ）と通信することができる。ＷＬＡＮは高信頼性無線ローカルエリアネットワークアクセスゲートウェイ（ＴＷＡＧ）と通信するように構成することができ、ＴＷＡＧはＳ２ａインタフェース経由でＥＰＣのパケットデータネットワークゲートウェイ（ＰＤＮ−ＧＷ）と通信するように構成することができる。いくつかの例では、ＵＥはマルチレッグＰＤＮ接続の第１のレッグを用いてｅＮＢと通信することができ、マルチレッグＰＤＮ接続の第２のレッグを用いてＡＰと通信することができる。マルチレッグＰＤＮ接続の第１のレッグは例えば、無線アクセス技術（ＲＡＴ）、すなわち、広帯域符号分割多元接続（ＷＣＤＭＡ（登録商標））、電気電子技術者協会（ＩＥＥＥ）８０２．１６  Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ（ＷｉＭａｘ）または第３世代共同プロジェクト（３ＧＰＰ）標準ＲＡＴの少なくとも１つを使用することができる。マルチレッグＰＤＮ接続の第２のレッグは例えば、無線アクセス技術（ＲＡＴ）、すなわち、電気電子技術者協会（ＩＥＥＥ）８０２．１１無線ローカルエリアネットワーク（ＷＬＡＮ）、ＩＥＥＥ  ８０２．１６  Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ（ＷｉＭａｘ）またはＢｌｕｅｔｏｏｔｈ（登録商標）の少なくとも１つを使用することができる。
【００６３】
ブロック６１０におけるように、ＵＥの装置は、ＷＬＡＮ接続性をＵＥが喪失した時点を検出することができる回路（例えば、１つ以上のプロセッサ備える処理モジュール）を備えることができる。ブロック６２０におけるように、ＵＥにある回路（例えば、トランシーバモジュール）は、ＵＥが接続されているｅＮＢ経由でＰＤＮ−ＧＷにＷＬＡＮ接続性喪失通信を送ることができる。ＷＬＡＮ接続性喪失通信を受信すると、Ｓ２ａインタフェースを介するＵＥへのＰＤＮ接続（例えば、Ｓ２ａインタフェースを用いてＴＷＡＧにＵＥ用のデータをＰＤＮ−ＧＷが転送し、ＵＥ用のデータを無線で送るＡＰにデータをＴＷＡＧが転送するＰＤＮ接続）を中断するようにＰＤＮ−ＧＷを構成することができる。ブロック６３０におけるように、その後、回路（例えば処理モジュール）は、ＷＬＡＮとの接続性の喪失を最初に検出した後、所定期間以内にＷＬＡＮ接続性が再取得された時点を検出することができる。ブロック６４０におけるように、回路（例えばトランシーバモジュール）は、ＵＥがＷＬＡＮ接続性を喪失したときに喪失されたＰＤＮ接続の再開をＵＥが要請することを示すＷＬＣＰ通信をＴＷＡＧに送ることができる。ＷＬＣＰ通信は、ＰＤＮアドレス、ＰＤＮ接続ＩＤ、ユーザプレーン接続ＩＤおよび／または複数のプロトコル構成オプション（ＰＣＯ）パラメータを備えることができる。
【００６４】
図７は、ユーザ端末（ＵＥ）、移動局（ＭＳ）、モバイル無線デバイス、モバイル通信デバイス、タブレット、ハンドセットまたは他の種類の無線デバイスのような無線デバイスの図示例を提供する。無線デバイスは、基地局（ｂａｓｅ  ｓｔａｔｉｏｎ）（ＢＳ）、進化ＮｏｄｅＢ（ｅＮＢ）、ベースバンドユニット（ｂａｓｅｂａｎｄ  ｕｎｉｔ）（ＢＢＵ）、遠隔無線ヘッド（ｒｅｍｏｔｅ  ｒａｄｉｏ  ｈｅａｄ）（ＲＲＨ）、遠隔無線装置（ｒｅｍｏｔｅ  ｒａｄｉｏ  ｅｑｕｉｐｍｅｎｔ）（ＲＲＥ）、中継局（ｒｅｌａｙ  ｓｔａｔｉｏｎ）（ＲＳ）、無線装置（ｒａｄｉｏ  ｅｑｕｉｐｍｅｎｔ）（ＲＥ）または他の種類の無線ワイドエリアネットワーク（ｗｉｒｅｌｅｓｓ  ｗｉｄｅ  ａｒｅａ  ｎｅｔｗｏｒｋ）（ＷＷＡＮ）アクセスポイントのようなノード、マクロノード、低電力ノード（ｌｏｗ  ｐｏｗｅｒ  ｎｏｄｅ）（ＬＰＮ）または送信局と通信するように構成されている１つ以上のアンテナを含むことができる。無線デバイスは、３  ＧＰＰ  ＬＴＥ、ＷｉＭａｘ、高速パケットアクセス（Ｈｉｇｈ  Ｓｐｅｅｄ  Ｐａｃｋｅｔ  Ａｃｃｅｓｓ）（ＨＳＰＡ）、Ｂｌｕｅｔｏｏｔｈ（登録商標）およびＷｉ−Ｆｉを含む少なくとも１つの無線通信標準を用いて通信するように構成することができる。無線デバイスは、各々の無線通信標準用の個々のアンテナまたは複数の無線通信標準用の共有アンテナを用いて通信することができる。無線デバイスは、無線ローカルエリアネットワーク（ＷＬＡＮ）、無線パーソナルエリアネットワーク（ｗｉｒｅｌｅｓｓ  ｐｅｒｓｏｎａｌ  ａｒｅａ  ｎｅｔｗｏｒｋ）（ＷＰＡＮ）および／またはＷＷＡＮ中で通信することができる。
【００６５】
図７は、音声入力および無線デバイスからの出力に用いることができる１つ以上のマイクおよびスピーカの図示例も提供する。表示スクリーンは、液晶ディスプレイ（ＬＣＤ）スクリーンまたは有機発光ダイオード（ＯＬＥＤ）ディスプレイのような他の種類の表示スクリーンであってもよい。表示スクリーンはタッチスクリーンとして構成することができる。タッチスクリーンには、電気容量型、抵抗型または別の型のタッチスクリーン技術を用いることができる。アプリケーションプロセッサおよびグラフィックプロセッサを内部メモリに結合して処理能力および表示能力を提供することができる。ユーザがデータ入力／出力を自由に選ぶようにするのに不揮発性メモリポートを用いることもできる。不揮発性メモリポートは無線デバイスのメモリ容量を拡大するのに用いることもできる。キーボードを無線デバイスに組み込むか、無線で無線デバイスに接続して、さらなるユーザ入力を提供することができる。タッチスクリーンを用いて仮想キーボードを提供することもできる。
【００６６】
様々な技術またはその特定の態様もしくは部分は、フロッピディスク、ＣＤ−ＲＯＭ、ハードディスクドライブ、非一時的コンピュータ可読記憶媒体または他のマシン可読記憶媒体のような有形の媒体中で具体化されるプログラムコード（すなわち命令）の形態をとることができる。プログラムコードは、コンピュータなどのマシンにロードされ、マシンによって実行される場合、マシンは様々な技術を実施する装置になる。回路は、ハードウェア、ファームウェア、プログラムコード、実行可能コード、コンピュータ命令および／またはソフトウェアを含むことができる。非一時的コンピュータ可読記憶媒体は信号を含まないコンピュータ可読記憶媒体であってもよい。プログラム可能なコンピュータ上でプログラムコードを実行する場合、コンピュータは、プロセッサ、プロセッサにより読み取り可能な記憶媒体（揮発性および不揮発性メモリおよび／または記憶要素を含む）、少なくとも１つの入力デバイスおよび少なくとも１つの出力デバイスを含むことができる。揮発性および不揮発性メモリおよび／または記憶要素は、ＲＡＭ、ＥＰＲＯＭ、フラッシュドライブ、光ドライブ、磁気ハードディスクドライブ、ソリッドステートドライブまたは電子データを記憶する他の媒体であってもよい。ノードおよび無線デバイスは、トランシーバモジュール、カウンタモジュール、処理モジュールおよび／またはクロックモジュールもしくはタイマーモジュールを含むこともできる。ここに記載されている様々な技術を実施すなわち利用することができる１つ以上のプログラムはアプリケーションプログラミングインタフェース（ａｐｐｌｉｃａｔｉｏｎ  ｐｒｏｇｒａｍｍｉｎｇ  ｉｎｔｅｒｆａｃｅ）（ＡＰＩ）、再使用可能な制御（ｒｅｕｓａｂｌｅ  ｃｏｎｔｒｏｌ）などを使用することができる。このようなプログラムを高水準手続き型またはオブジェクト指向プログラミング言語に組み込んでコンピュータシステムと通信することができる。ただし、必要に応じて、プログラムはアセンブリまたはマシン語に組み込むことができる。いずれの場合でも、言語はコンパイル型言語またはインタプリト型言語であってもよく、ハードウェア実装と組み合わせることができる。
【００６７】
本明細書で用いられているように、用語プロセッサは、汎用プロセッサ、専用プロセッサＶＬＳＩ、ＦＰＧＡおよび他の種類の専用プロセッサ、ならびにトランシーバで用いて無線通信を送り、受信し、処理するベースバンドプロセッサを含むことができる。
【００６８】
本明細書に記載されている機能単位の多くが、それらの実施独立性を特に強調するために、モジュールとして表わされていることは自明である。モジュールは例えば、複数のカスタムＶＬＳＩ回路または複数のゲートアレイ、複数の市販の半導体（例えば、複数の論理チップ、複数のトランジスタまたは他の部品）を備えるハードウェア回路に組み込むことができる。モジュールは、フィールドプログラマブルゲートアレイ、プログラマブルアレイロジック、プログラマブルロジックデバイスなどのプログラム可能なハードウェアデバイスに組み込むこともできる。
【００６９】
モジュールは、様々なプロセッサによる実行のためのソフトウェアでもって実施することもできる。実行可能なコードの特定のモジュールは例えば、コンピュータ命令の１つ以上の物理ブロックまたは論理ブロックを備えることができ、例えば、オブジェクト、プロシージャまたは機能として編成することができる。これとは無関係に、実行可能形式の特定のモジュールは物理的に一緒に置く必要はなく、異なる箇所に記憶された異なる命令を備えることができ、論理的に結合されるとき、モジュールを備え、モジュールについての上記目的を達成する。
【００７０】
さらに、実行コードのモジュールは、１つの命令であってもよく、あるいは複数の命令であってもよく、異なるいくつかのコードセグメントにわたって異なるプログラム間にいくつかのメモリデバイスにわたって分散させることもできる。同様に、本明細書では動作データを特定してモジュール内に示すことができ、適切ないずれの形態でも具体化することができ、適切ないずれの種類のデータ構造内でも編成することができる。動作データは１つのデータセットとして収集することができるか、異なる箇所にわたって分散させる（異なる複数の記憶デバイスにわたって分散させることを含む）ことができ、少なくとも部分的に、単に、システムまたはネットワーク上の電子信号として存在することができる。モジュールは受動的または能動的であってもよく、所望の機能を発揮するように動作可能なエージェントを含む。
【００７１】
本明細書にて用いられているように、用語「プロセッサ」は、汎用プロセッサ、専用プロセッサＶＬＳＩ、ＦＰＧＡおよび他の種類の専用プロセッサ、ならびにトランシーバで用いて無線通信を送り、受信し、処理するベースバンドプロセッサを含むことができる。
【００７２】
本明細書にわたって「例」を参照することは、例に関連して記載されている特定の特徴、構造または特性が本開示の少なくとも１つの実施の形態に含まれることを意味する。したがって、本明細書にわたる様々な箇所で「例に」これらの句が出現することすべてが、必ずしも同じ実施の形態を参照することというわけではない。
【００７３】
本明細書で用いられているように、複数の項目、複数の構造要素、複数の構成要素および／または複数の材料は便宜上、一般的なリストで示されている場合がある。ただし、これらのリストは、リストの各部材が別個かつ固有の部材として個別に特定されるように解釈されるものとする。したがって、このようなリストの個々の部材は同じリストの他の部材の実質的な均等物として解釈しないものとし、解釈は共通の群中のそれらの表現のみに基づいて行ない、それとは反対のものは示さない。これに加えて、本開示の様々な実施の形態および例は本明細書ではその様々な構成要素の代替物とともに参照する場合がある。このような実施の形態、例および代替物を互いに実質的な均等物として解釈しないものとし、別個かつ独立の表現とみなすものとすると考える。
【００７４】
さらに、記載されている特徴、構造または特性は、１つ以上の実施の形態にていずれの適切な手法でも組み合わせることができる。以下の記載では、レイアウトの例、距離、ネットワーク例などの多数の特定の詳細を提供して様々な実施の形態の完全な理解を提供する。ただし、特定の詳細の１つ以上を用いないか、他の方法、構成要素、レイアウトなどを用いていくつかの実施の形態を実施することができることは当業者には自明である。他の場合では、周知の構造、材料または動作は、開示の態様を不明確にすることを避けるために詳細に示されないか、記載されない。
【００７５】
上記例は１つ以上の特定の適用で本開示の原理の図示例であるが、開示の原理および概念を逸脱しない範囲で発明の機能を発揮させずに、形態、使用および実施の詳細の多数の修正を行なうことができることは当業者には自明である。したがって、以下に示す請求項によって限定されるような場合を除いて、請求された主題が限定されることを意図しない。
［項目１］
進化型パケットコア（ＥＰＣ）中で動作するように構成されている高信頼性無線ローカルエリアネットワークアクセスゲートウェイ（ＴＷＡＧ）の装置であって、上記ＴＷＡＧは、
パケットデータネットワークゲートウェイ（ＰＤＮ−ＧＷ）からＳ２ａインタフェース経由でデータを受信し、
無線ローカルエリアネットワーク（ＷＬＡＮ）中のアクセスポイント（ＡＰ）経由でユーザ端末（ＵＥ）に上記データを送り、
ＷＬＡＮリンク制御プロトコル（ＷＬＣＰ）メッセージに基づいて上記ＵＥとの制御シグナリングを処理し、
上記ＡＰから上記ＴＷＡＧで受信するトリガ通信に基づいて上記ＷＬＡＮとの接続性を上記ＵＥが喪失した時点を検出し、
上記接続性の喪失が検出されると、上記ＰＤＮ−ＧＷに中断通信を送るように構成されている１つ以上のプロセッサを備える、装置。
［項目２］
上記トリガ通信は、Ｌ２トランスポートまたはＬ３トランスポート経由で受信され、上記ＵＥのＩＰアドレス、メディアアクセス制御（ＭＡＣ）アドレスまたは上記接続性の喪失の理由の少なくとも１つを備える、項目１に記載の装置。
［項目３］
上記中断通信は修正セッション要求に含まれる、項目１に記載の装置。
［項目４］
上記ＰＤＮ−ＧＷは、上記中断通信を受信すると、上記Ｓ２ａインタフェース経由で上記ＵＥに上記データを送ることを中断するように構成されている、項目１に記載の装置。
［項目５］
１つ以上のデジタルメモリデバイスをさらに備え、上記１つ以上のデジタルメモリデバイスは上記ＵＥに関するＰＤＮコンテキスト情報を記憶するように構成されている、項目１に記載の装置。
［項目６］
上記ＷＬＡＮとの上記接続性を上記ＵＥが喪失したことを上記１つ以上のプロセッサが検出するとき、上記ＰＤＮコンテキスト情報は、予め定義された期間、上記１つ以上のデジタルメモリデバイスから削除されない、項目５に記載の装置。
［項目７］
上記１つ以上のプロセッサは、
上記ＷＬＡＮとの接続性を上記ＵＥが喪失したことを上記１つ以上のプロセッサが最初に検出した後、上記予め定義された期間以内に上記ＷＬＡＮとの接続性を上記ＵＥが再取得した時点を検出し、
上記ＰＤＮ−ＧＷに再開通信を送るようにさらに構成されている、項目６に記載の装置。
［項目８］
上記再開通信は修正セッション要求に含まれる、項目７に記載の装置。
［項目９］
上記１つ以上のプロセッサは、上記ＵＥから受信するＷＬＡＮリンク制御プロトコル（ＷＬＣＰ）通信に基づいて上記ＷＬＡＮとの上記接続性を上記ＵＥが再取得した時点を検出するようにさらに構成されている、項目７に記載の装置。
［項目１０］
上記ＷＬＣＰ通信は、以前に上記ＵＥに割り当てられたＩＰアドレスまたは以前に上記ＵＥに割り付けられたユーザプレーン接続識別子の少なくとも１つを備える、項目９に記載の装置。
［項目１１］
上記１つ以上のプロセッサは、
上記ＷＬＣＰ通信に基づいて上記１つ以上のメモリデバイスから上記ＰＤＮコンテキスト情報を取得し、
上記ＰＤＮコンテキスト情報を用いて上記ＵＥと上記ＰＤＮ−ＧＷの間のＰＤＮ接続を回復させるようにさらに構成されている、項目１０に記載の装置。
［項目１２］
上記１つ以上のプロセッサは、上記ＵＥと上記ＰＤＮ−ＧＷの間の上記ＰＤＮ接続が回復すると、上記ＵＥにＷＬＣＰ−ＰＤＮ接続性完了通信を送るようにさらに構成されている、項目１１に記載の装置。
［項目１３］
複数の無線アクセス技術（ＲＡＴ）とのマルチレッグすなわちマルチアクセスパケットデータネットワーク（ＰＤＮ）接続をサポートするように構成されているユーザ端末（ＵＥ）の装置であって、上記装置は回路を備え、
上記回路は、セルラネットワーク中の進化ノードＢ（ｅＮＢ）と通信し、無線ローカルエリアネットワーク（ＷＬＡＮ）中のアクセスポイント（ＡＰ）と通信するように構成されており、上記ＷＬＡＮは、高信頼性無線ローカルエリアネットワークアクセスゲートウェイ（ＴＷＡＧ）と通信するように構成されており、上記ＴＷＡＧは、Ｓ２ａインタフェース経由で上記セルラネットワークのパケットデータネットワークゲートウェイ（ＰＤＮ−ＧＷ）と通信するように構成されており、
上記回路は、上記ＷＬＡＮとの接続性を上記ＵＥが喪失した時点を検出するように構成されており、
上記回路は、上記ＷＬＡＮとの上記接続性の喪失が検出されたとき、上記ｅＮＢを経由して上記ＰＤＮ−ＧＷにＷＬＡＮ接続性喪失通信を送るように構成されている、装置。
［項目１４］
上記ＰＧＮ−ＧＷは、上記ＷＬＡＮ接続性喪失通信を受信すると、上記Ｓ２ａインタフェース経由の上記ＵＥへのＰＤＮ接続を中断するように構成されている、項目１３に記載の装置。
［項目１５］
上記回路は、
上記ＷＬＡＮとの上記接続性の喪失を最初に検出した後、所定期間以内に上記ＷＬＡＮとの接続性を上記ＵＥが再取得した時点を検出し、
上記ＰＤＮ接続の再開を上記ＵＥが要請することを示すＷＬＡＮリンク制御プロトコル（ＷＬＣＰ）通信を上記ＴＷＡＧに送るようにさらに構成されている、項目１４に記載の装置。
［項目１６］
上記ＷＬＣＰ通信は、ＰＤＮアドレス、ＰＤＮ接続ＩＤ、ユーザプレーン接続ＩＤまたは複数のプロトコル構成オプション（ＰＣＯ）パラメータの少なくとも１つを備える、項目１５に記載の装置。
［項目１７］
上記回路は、マルチレッグＰＤＮ接続の第１のレッグを用いて上記ｅＮＢと通信し、上記マルチレッグＰＤＮ接続の第２のレッグを用いて上記ＡＰと通信するようにさらに構成されている、項目１３に記載の装置。
［項目１８］
上記マルチレッグＰＤＮ接続の上記第１のレッグは、無線アクセス技術（ＲＡＴ）、すなわち、広帯域符号分割多元接続（ＷＣＤＭＡ（登録商標））、電気電子技術者協会（ＩＥＥＥ）８０２．１６  Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ（ＷｉＭａｘ）または第３世代共同プロジェクト（３  ＧＰＰ）標準ＲＡＴの少なくとも１つを使用する、項目１７に記載の装置。
［項目１９］
上記マルチレッグＰＤＮ接続の上記第２のレッグは、無線アクセス技術（ＲＡＴ）、すなわち、電気電子技術者協会（ＩＥＥＥ）８０２．１１無線ローカルエリアネットワーク（ＷＬＡＮ）、ＩＥＥＥ  ８０２．１６  Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ（ＷｉＭａｘ）またはＢｌｕｅｔｏｏｔｈ（登録商標）の少なくとも１つを使用する、項目１７に記載の装置。
［項目２０］
複数の命令を有する非一時的コンピュータ可読媒体であって、これらの命令が１つ以上のプロセッサによって実行されるとき、
無線ローカルエリアネットワーク（ＷＬＡＮ）中のアクセスポイント（ＡＰ）から高信頼性無線ローカルエリアネットワークアクセスゲートウェイ（ＴＷＡＧ）でトリガ通信を受信することと、
上記トリガ通信に基づいて上記ＷＬＡＮとの接続性をＵＥが喪失したことを検出することと、
パケットデータネットワークゲートウェイ（ＰＤＮ−ＧＷ）に中断通信を送ることと、
予め定義された期間、上記ＵＥに関連するＰＤＮコンテキスト情報を記憶することを行なう、非一時的コンピュータ可読媒体。
［項目２１］
複数の命令をさらに備え、これらの命令が１つ以上のプロセッサによって実行されるとき、
Ｌ２トランスポートまたはＬ３トランスポート経由で上記トリガ通信を受信することを行ない、上記トリガ通信は、上記ＵＥのＩＰアドレス、メディアアクセス制御（ＭＡＣ）アドレスまたは上記接続性の喪失の理由の少なくとも１つ備える、項目２０に記載の非一時的コンピュータ可読媒体。
［項目２２］
複数の命令をさらに備え、これらの命令が１つ以上のプロセッサによって実行されるとき、
上記予め定義された期間以内に上記ＷＬＡＮとの接続性を上記ＵＥが再取得した時点を検出することと、
上記ＰＤＮ−ＧＷに再開通信を送ることを行なう、項目２０に記載の非一時的コンピュータ可読媒体。
［項目２３］
上記中断通信または上記再開通信の少なくとも１つは修正セッション要求に含まれる、項目２２に記載の非一時的コンピュータ可読媒体。
［項目２４］
複数の命令をさらに備え、これらの命令が１つ以上のプロセッサによって実行されるとき、
上記ＵＥから受信したＷＬＡＮリンク制御プロトコル（ＷＬＣＰ）通信に基づいて上記ＷＬＡＮとの上記接続性を上記ＵＥが再取得した時点を検出することを行ない、上記ＷＬＣＰ通信は、以前に上記ＵＥに割り当てられたＩＰアドレスまたは以前に上記ＵＥに割り付けられたユーザプレーン接続識別子の少なくとも１つを備える、項目２２に記載の非一時的コンピュータ可読媒体。
【図１】
0006432102.tif 000002
【図２】
0006432102.tif 000003
【図３】
0006432102.tif 000004
【図４】
0006432102.tif 000005
【図５】
0006432102.tif 000006
【図６】
0006432102.tif 000007
【図７】
0006432102.tif 000008